(57)【要約】【課題】容器本体の内容物残量にかかわらず、釦の押圧回数に応じた量の内容物を放出させることができるノンガス方式の擬似エアゾール機構を提供する。【解決手段】内容物放出機構１に、ポンプ作動部１０と内容物放出部２０とを設け、ポンプ作動部１０の内容物送出用釦１３の押圧にともなうポンプ作用によって容器本体２の内容物をポンプ作動用空間部１０ａに一旦取り込み、それを内容物放出部２０の貯留空間部２１ａに送出する。当該貯留空間部を構成するピストン部材２２はスプリング２３で上方に付勢されている。内容物送出用釦１３を押圧する毎に貯留空間部２１ａに送出される内容物の量は容器本体２の残存内容物量にかかわらず略一定であり、この押圧回数に応じた量の内容物が貯留空間部２１ａからの放出対象となる。貯留空間部２１ａの内容物は（その量に応じて下動する）スプリング２３の上方への付勢力によって確実に外部空間に放出される。【選択図】　　図１
2004122005.tif 000002
【特許請求の範囲】
【請求項１】
容器本体に収容されている内容物を一旦ポンプ作動部に取り込んだ上で内容物放出部に送出し、当該内容物放出部から外部空間に放出させる内容物放出機構であって、
前記ポンプ作動部は、
内容物送出用操作部材と、
ポンプ作動用の第１の空間域を有する筒状部材と、
当該筒状部材に設けられ、前記内容物送出用操作部材の往動により開状態となって前記第１の空間域の内容物を内容物放出部に送出する内容物送出弁と前記内容物送出用操作部材の復動により開状態となって容器本体の内容物を前記第１の空間域に取り込む内容物取込み弁と、を備え、
前記内容物放出部は、
内容物放出口側に付勢されたピストン部材と、
当該ピストン部材を構成要素の一つとして，前記第１の空間域から流入した内容物を収容する第２の空間域と、
当該第２の空間域の内容物を外部空間に放出させる内容物放出弁と、
当該内容物放出弁を開状態にする内容物放出用操作部材と、を備えたことを特徴とする内容物放出機構。
【請求項２】
前記第２の空間域に定量室形成用部材を設けたことを特徴とする請求項１記載の内容物放出機構。
【発明の詳細な説明】
【０００１】
【発明の属する技術分野】
本発明は、内容物放出機構に関し、特に、容器本体にポンプ作動部および内容物放出部を設け、ポンプ作動部の内容物送出用操作部材を例えば複数回操作し、ポンプ作用によって第１の空間域の内容物を内容物放出部の第２の空間域に収容し、操作部材の操作により当該内容物を連続放出させる内容物放出機構に関する。
【０００２】
【従来の技術】
薬品、化粧品、殺虫剤、洗剤などを収容した包装容器の内容物放出の手段としては、
・包装容器内部にあらかじめ内容物とともに充填してある液化ガスや圧縮ガスなどの作用により、操作釦の例えば押圧操作の間、当該内容物を外部空間に放出するエアゾール式、
・操作釦の一回毎の操作にともなう、貯留空間部の入口側の流入弁および出口側の吐出し弁の作用により、包装容器内部の内容物をいったん当該貯留用空間部に取り込んだ上でそれを外部空間に放出するポンプ式、
などがある。
【０００３】
エアゾール式では内容物の連続放出は可能であるものの、高圧ガスを使用しているため気圧が低い例えば飛行機内では爆発の危険性があり、使用できる場所が制限される。
【０００４】
また、ポンプ式では、一回の操作によって貯留空間部に取り込まれた内容物の単位で外部空間に放出されるため、内容物を連続して放出させることができない。
【０００５】
そこで、第１の操作釦の操作に対応したポンプ作用に基づいて外気を容器内に積極的に取り込むことにより内容物放出用の空気圧を高めた上で、第２の操作釦を操作して出力弁を開き、このときの当該空気圧の作用によって内容物を連続放出させる内容物放出機構が開示されている（例えば特許文献１参照）。
【０００６】
図４は、従来の一般的な静止モードの内容物放出機構の説明図であり、加圧用釦を蓋部から突出させている。
【０００７】
図４において、４０は内容物放出機構、４１は後述の加圧用釦４２，放出用釦４４などを収容する蓋部、４１ａは空気を容器本体４７に送出するための空気導入路、４１ｂは加圧用釦ロック用の突起、４２は加圧用釦、４２ａは前述の突起４１ｂと係合する水平溝部、４２ｂはロック解除用レバー、４２ｃは当該加圧用釦を上方向に付勢するスプリング、４２ｄは空気取込用孔部、４２ｅは当該空気取込み用孔部に対するシール部材、４２ｆは当該加圧用釦の内部空間、４３は容器本体内部の加圧状態を維持するボール弁、４３ａは当該ボール弁を上方向に付勢するスプリング、４４は放出用釦、４４ａは当該放出用釦の下動を許容する隙間、４４ｂは放出用通路、４４ｃは放出口、４５は放出用ボール弁、４５ａは当該放出用ボール弁を上方向に付勢するスプリング、４５ｂは放出用ボール弁を押圧するロッド、４６は吸上管、４７は容器本体、４７ａは空気層部分、４７ｂは内容物、を示している。
【０００８】
内容物放出機構４０は、
・加圧用釦４２の押圧操作により、容器本体４７の空気層部分４７ａの圧力を高め、
・放出用釦４４の押圧操作によりこの高められた空気層部分４７ａの圧力に基づいて内容物を外部空間に放出させるものである。
【０００９】
静止モードでは、加圧用釦４２はその水平溝部４２ａに蓋部４１の突起４１ｂが係合して蓋部４１内部に収納され、上下動がロックされている。
【００１０】
作動モードでは、
（１）加圧用釦４２のレバー４２ｂを持って反時計方向に回動し、水平溝部４２ａと蓋部４１の突起４１ｂとのロックを解除して加圧用釦４２を蓋部４１の上側に突出させ（図４参照）、
（２）加圧用釦４２を数回押圧し、
（３）加圧用釦４２を再び水平溝部４２ａに係合させて蓋部４１内に収納し、
（４）放出用釦４４を押圧する。
【００１１】
上記（２）の押圧操作にともなって加圧用釦４２内部の空気は空気導入路４１ａに送られ、ボール弁４３を押し下げて容器本体４７内部の空気層部分４７ａに送られる。
【００１２】
なお、加圧用釦４２を離すと、当該加圧用釦はスプリング４２ｃの付勢によって上方向に復帰する。このとき、シール部材４２ｅの一部変形により空気取込み用孔部４２ｄが開状態となって当該孔部から加圧用釦４２の内部空間４２ｆに空気が取り込まれるので、再び加圧用釦４２を押圧して当該内部空間の空気を容器本体４７の空気層部分４７ａに送出することができる。
【００１３】
このように、加圧用釦４２を押圧する毎に容器本体４７内部の空気層部分４７ａに空気が送出されるので、加圧用釦４２の押し下げ動作を繰り返すことにより容器本体４７の空気層部分４７ａは加圧された状態になる。
【００１４】
そして、放出用釦４４を押圧するとロッド４５ｂが放出用ボール弁４５を押圧してスプリング４５ａの付勢力に抗して下動させ、放出用ボール弁４５と蓋部４１との隙間が形成されるので、内容物は、空気層部分４７ａの圧力により吸上管４６−当該隙間−放出用通路４４ｂを通過して放出口４４ｃから外部空間に放出される。
【００１５】
容器本体４７の内容物４７ｂは、容器本体４７内部の圧力が外部空間の圧力よりも高い間、連続して外部空間に放出される。
【００１６】
【特許文献１】
実開平６−８０６８４号公報
【００１７】
【発明が解決しようとする課題】
このように、従来の内容物放出機構は、容器内部に空気を送って空気層部分の圧力（内容物放出用の圧力）を高め、この空気圧によって内容物を外部空間に放出している。
【００１８】
ここで空気層部分を加圧するために必要な加圧用釦の押圧回数は空気層部分の容積により変化し、例えば内容物の量が少なくなって空気層部分の容積が大きくなったときには、内容物の量が多いときよりも加圧用釦の押圧回数を増やさなければ空気層部分を十分に加圧することができず、使い勝手が悪いという問題点があった。
【００１９】
そこで、本発明では、容器本体にその内容物収納空間とは別にポンプ作動用の第１の空間域とこれに続く内容物放出用の第２の空間域とを設け、内容物送出用操作部材の操作によるポンプ作用で第１の空間域の（前回の当該操作にともなってすでに当該空間域に取り込まれている）内容物を第２の空間域に送出するようにして、一回毎の内容物送出操作によって第２の空間域に収容される内容物の量を略一定化させ、容器本体側の内容物の多少にかかわらず、内容物送出操作の回数に応じた略一定量の内容物を放出可能とすることを目的とする。
【００２０】
また、第２の空間域をピストン部材で放出口側に付勢するようにして、当該空間域の内容物を確実に放出させることを目的とする。
【００２１】
【課題を解決するための手段】
本発明はこれらの課題を次のようにして解決する。
（１）容器本体（例えば後述の容器本体２）に収容されている内容物を一旦ポンプ作動部（例えば後述のポンプ作動部１０）に取り込んだ上で内容物放出部（例えば後述の内容物放出部２０）に送出し、当該内容物放出部から外部空間に放出させる内容物放出機構（例えば後述の放出機構１）の前記ポンプ作動部に、内容物送出用操作部材（例えば後述の内容物送出用釦１３）　と、ポンプ作動用の第１の空間域（例えば後述のポンプ作動用空間部１０ａ）を有する筒状部材（例えば後述の筒状部材１１）と、当該筒状部材に設けられ、前記内容物送出用操作部材の往動により開状態となって前記第１の空間域の内容物を前記内容物放出部に送出する内容物送出弁（例えば後述のボール弁１６）と前記内容物送出用操作部材の復動により開状態となって前記容器本体の内容物を前記第１の空間域に取り込む内容物取込み弁（例えば後述のボール弁１５）と、を備え、前記内容物放出部は、内容物放出口（例えば後述の放出口３１ｂ）側に付勢されたピストン部材（例えば後述のピストン部材２２）と、当該ピストン部材を構成要素の一つとして前記第１の空間域から流入した内容物を収容する第２の空間域（例えば後述の貯留空間部２１ａやハウジング２５の内部空間）と、当該第２の空間域の内容物を外部空間に放出させる内容物放出弁（例えば後述のステムラバー２９）と、当該内容物放出弁を開状態にする内容物放出用操作部材（例えば後述の内容物放出用釦３１）と、を備える。
（２）上記（１）において、前記第２の空間域に定量室形成用部材（例えば後述の定量室形成用部材２６）を設ける。
【００２２】
本発明によれば、上記（１）のように、内容物送出用操作部材を操作すると、その往復動にともなうポンプ作用によって先ず往動時にそれまでの第１の空間域の内容物が第２の空間域に送り出され、また復動時に容器本体の内容物が第１の空間域に取り込まれる。
【００２３】
内容物送出用操作部材の一回毎の操作にともなって第２の空間域に送出される内容物の量は、第１の空間域に対応した量なので略一定であり、容器本体の内容物残量に影響されることがない。
【００２４】
この内容物送出操作を何回か繰り返すことにより第２の空間域には所定量の内容物が収容され、当該内容物の圧力に応じてピストンが放出口とは反対の方向に移動して操作回数に対応した分の内容物が第２の空間域に収容される。
【００２５】
そして、内容物放出用操作部材の操作により第２の空間域の加圧状態の内容物が外部空間に放出される。このときピストンは所定の付勢力に応じて放出口の方向に移動する。
【００２６】
また、上記（２）のように、第２の空間域に定量室を設け、内容物放出用操作部材の一回の操作によりこの定量室の一定量の内容物を放出している。
【００２７】
【発明の実施の形態】
図１乃至図３を用いて、本発明の実施の形態を説明する。
図１は内容物放出機構の静止モードを示す説明図であり、図２および図３は内容物放出機構の作動モードを示す説明図であり、図２は内容物送出状態、図３は内容物放出状態を示す説明図である。
【００２８】
これらの図において、
１は内容物放出機構、
２は容器本体、２ａは内容物充填用の栓、２ｂは充填口、２ｃは内容物域、２ｄは内容物域２ｃよりも上側の空間域、
１０は内容物を後述の内容物放出部２０に送出するためのポンプ作動部、１０ａはポンプ作動用空間部、
１１はポンプ作動用の空間部１０ａを備えた筒状部材、１１ａは内容物送出用の孔部、１１ｂは空気取込み用の横孔、
１２はジョイント、１２ａは当該ジョイントと筒状部材１１との間の内容物送出用の隙間、１２ｂは空気取込み用のスリット、１２ｃは後述の内容物取込み用ボール弁１５の受け部、１２ｄは後述の内容物送出用ボール弁１６の受け部、
１３はポンプ作動用空間部１０ａの内容物を後述の内容物放出部２０に送出するための内容物送出用釦、１３ａは当該内容物送出用釦の垂下部、１３ｂは指の掛かりが良いように形成された凹み部、
１４は内容物送出用釦１３に連動して空気取込み用の横孔１１ｂを開閉する弁部材、１４ａは当該弁部材の上端部、１４ｂは当該弁部材の下端部、
１５は内容物取込み用のボール弁、
１６は内容物送出用のボール弁、
１７は弁部材１４や内容物送出用釦１３を上方向に付勢するスプリング、
１８は吸上管、
２０はポンプ作動部１０から送出された内容物を外部空間に放出させるための内容物放出部、
２１はポンプ作動部１０から送出された内容物を貯留する筒状部材、２１ａは後述のピストン部材２２よりも上側であって後述の定量室２５ｂに通じる貯留空間部、２１ｂは容器本体２の内容物域２ｃと連通した下方空間部、２１ｃは内容物を貯留空間部２１ａに取り込むための孔部、
２２はポンプ作動部１０から送出される内容物の圧力に応じて下動するピストン部材、
２３はピストン部材２２を上方向に付勢して貯留空間部２１ａの内容物を加圧するスプリング、
２４はスプリング２３の受け部、２４ａは連通孔、
２５はハウジング、２５ａは当該ハウジングのスリット、２５ｂは定量室、２５ｃは当該ハウジングと後述のステム２７との隙間、
２６は定量室形成部材、２６ａは貯留空間部２１ａと定量室２５ｂとを連通する孔部、
２７はステム、２７ａは内容物放出用の孔部、２７ｂは内容物放出用の縦通路、２８はステム２７を上方向に付勢するスプリング、
２９はステムラバー、
３０はハウジング２５やステムなど２７を収容する保持部材、
３１は内容物送出用釦１３よりも高い位置に設けられた内容物放出用釦、３１ａは放出路、３１ｂは放出口、３１ｃは滑り止め加工が施された押圧部、
をそれぞれ示している。
【００２９】
図１に示すように、内容物放出機構１は、
・内容物を内容物放出部２０に送出するポンプ作動部１０、
・当該ポンプ作動部から流入した内容物を貯留してこれをスプリング２３の加圧作用で外部空間に放出する内容物放出部２０、
に大別される。
【００３０】
ポンプ作動部１０は、
・ポンプ作動用空間部１０ａを形成する筒状部材１１、
・ポンプ作動用空間部１０ａに取り込んだ内容物を内容物放出部２０の貯留空間部２１ａに送出する内容物送出用釦１３、
・内容物送出用釦１３の操作（容器本体２の内容物の減少）により負圧化した容器本体２内に空気を取り込む弁部材１４、
・容器本体２の内容物をポンプ作動用空間部１０ａに取込むためのボール弁１５、
・内容物放出部２０の貯留空間部２１ａに内容物を送出するためのボール弁１６、
・上記各部材を収容し、内容物放出部２０に連結するジョイント１２、
などから構成されている。
【００３１】
内容物放出部２０は、
・ポンプ作動用空間部１０ａから送出された内容物を貯留する筒状部材２１、
・スプリング２３によって上方向に付勢され、当該内容物の圧力に応じて下動するピストン部材２２、
・ハウジング２５、
・定量室形成部材２６、
・ステム２７、
・ステム２７を押し下げて定量室２５ｂの内容物を外部空間に放出させる放出用釦３１、
などから構成されている。
【００３２】
静止モードでは、ポンプ作動部１０の内容物送出用釦１３や弁部材１４はスプリング１７の付勢により上動し、ポンプ作動用空間部１０ａには前回の内容物送出用釦１３の操作終了時の上方への復帰にともなう負圧化（ボール弁１５の開動作）によって内容物がすでに収容されている。このとき、内容物取込み用のボール弁１５および内容物送出用のボール弁１６はそれぞれ受け部１２ｃ，１２ｄに密接し、ポンプ作動用空間部１０ａの内容物は前回の操作終了時に収容されたままである。
【００３３】
また、内容物放出部２０の放出用釦３１やピストン部材２２もそれぞれスプリング２８，２３の付勢によって上動している。
【００３４】
図２および図３に示すように、内容物を外部空間へ放出する作動モードとするには、
・内容物送出用釦１３の凹み部１３ｂを指で押して離すという押圧操作を数回行い（内容物送出状態）、
・内容物送出用釦１３の押圧操作をやめた上で、放出用釦３１の押圧部３１ｃを押圧する（放出状態）。
【００３５】
図２に示すように、内容物送出状態では、内容物送出用釦１３の押圧操作にともない弁部材１４が下動してポンプ作動用空間部１０ａに収容されていた内容物は加圧される。これにより内容物取込み用のボール弁１５は受け部１２ｃに密接したままを保持され、一方、内容物送出用のボール弁１６は受け部１２ｄから離れ隙間が形成される。
【００３６】
ポンプ作動用空間部１０ａの内容物は、内容物送出用孔部１１ａ−内容物送出用の隙間１２ａ−（ボール弁１６と受け部１２ｄの）隙間−孔部２１ｃを通過して貯留空間部２１ａに流入し、また孔部２６ａやステム２７とハウジング２５との隙間２５ｃを通って定量室２５ｂにも流入する。
【００３７】
そして、ピストン部材２２はこの内容物流入にともなう貯留空間部２１ａの圧力増加分に応じてスプリング２３の付勢力に抗して下動し、これにより、下方空間部２１ｂに流入していた内容物は連通孔２４ａを通って筒状部材２１の外側の内容物域２ｃに排出される。
【００３８】
内容物送出用釦１３の押圧をやめると、当該内容物送出用釦は弁部材１４とともにスプリング１７の付勢によって上動し、ポンプ作動用空間部１０ａが負圧化するので内容物取込み用のボール弁１５が受け部１２ｃから離れて隙間が形成され、容器本体２の内容物域２ｃの内容物が吸上管１８および当該隙間を通ってポンプ作動用空間部１０ａに流入する。
【００３９】
このときには、内容物送出用のボール弁１６は受け部１２ｄに密接するので、貯留空間部２１ａの内容物が逆流することはない。
【００４０】
なお、内容物送出用釦１３の上下動にともない、弁部材１４の上端部１４ａが空気取込み用の横孔１１ｂの下方に位置すると、空気が外部空間から内容物送出用釦１３の垂下部１３ａと筒状部材１１との間−空気取込み用横孔１１ｂ−ジョイント１２のスリット１２ｂを通って容器本体２の空間域２ｄに取り込まれ、当該空間域は大気圧に維持される。
【００４１】
上述のように、内容物送出用釦１３の一回毎の押圧操作で貯留空間部２１ａに流入する内容物の量はポンプ作動用空間部１０ａに相当する略一定量であり、内容物送出用釦１３の押圧操作を繰り返すことにより、ピストン部材２２の下端部がスプリング受け部２４の上面に当接するまで内容物は貯留空間部２１ａに取り込まれる。
【００４２】
このとき、スプリング２３は十分に縮んだ状態となり、貯留空間部２１ａや定量室２５ｂに流入した内容物は加圧された状態である。
【００４３】
図３に示すように、放出モードでは、放出用釦３１の押圧操作にともないステム２７が下動してその下端部が孔部２６ａを塞ぐ。そして、内容物放出用の孔部２７ａがステムラバー２９の下方に位置して開くので、定量室２５ｂ内の内容物のみが自体の圧力によって、内容物放出用の孔部２７ａ−縦通路２７ｂ−放出路３１ａを通過して放出口３１ｂから外部空間に放出される。
【００４４】
放出用釦３１の押圧操作をやめると、
・ステム２７はスプリング２８の付勢力によって上方向に復帰し、
・内容物放出用の孔部２７ａはステムラバー２９で閉塞され、
・定量室２５ｂと貯留空間部２１ａとを連通させる孔部２６ａが開く。
【００４５】
そして、貯留空間部２１ａに収容されている内容物は、それ自体の圧力および（ピストン部材２２を介して貯留空間部２１ａを上方向に押圧する）スプリング２３の付勢力によって定量室２５ｂに流入する。
【００４６】
したがって、再び放出用釦３１を押圧すると、前述の作用により定量室２５ｂ内の内容物を外部空間に放出させることができる。
【００４７】
このように、放出用釦３１の一回の押圧操作で定量室２５ｂ内容物の放出動作（放出用釦３１の押圧時）と、これに続く貯留空間部２１ａから定量室２５ｂへの内容物の移動とが生じる。
【００４８】
したがって、内容物送出用釦１３を押圧していったん内容物を貯留空間部２１ａの側に取り込んだ後は、当該貯留空間部に内容物が実質的に残っている限り、内容物送出用釦１３をあらためて押圧しなくても放出用釦３１の操作により複数回にわたって内容物を放出させることができる。なお、通常の使用形態では、内容物送出用釦１３を１０回押圧した場合にその後の４２回の放出動作が可能である　。
【００４９】
内容物放出機構１の内容物は、容器本体２の栓２ａを外して充填口２ｂから当該容器本体内部に入れることができる。
【００５０】
内容物放出機構１の定量室形成部材２６は取り外してもよい。この場合、内容物送出用釦１３の押圧操作で容器本体２の内容物は、前述の作用により貯留空間部２１ａやハウジング２５の内部空間に収容される。
【００５１】
そして、放出用釦３１を一回押圧することにより貯留空間部２１ａやハウジング２５内部は内容物放出用の孔部２７ａを介して外部空間と連通するので、収容された内容物をこれ自体の圧力およびスプリング２３の復帰力によって連続放出することができる。
【００５２】
本発明の、内容物放出機構は、洗浄剤，清掃剤，制汗剤，忌避剤（殺虫剤），医薬品，医薬部外品，化粧品，コンタクトレンズ用品，園芸用品，洗濯のりなどに用いることができる。
【００５３】
また、内容物には、水，金属塩類粉末，無機塩類粉末や樹脂粉末などを用いる。例えば、水道水，蒸留水，タルク，カオリン，アルミニウムヒドロキシクロライド（アルミ塩），硫酸バリウム，セルロースこれらの混合物などである。また、紫外線吸収剤，油性原料，界面活性剤，保湿剤，高分子化合物，酸化防止剤，金属イオン封鎖剤なども用いる。
【００５４】
【発明の効果】
本発明では、このようにポンプ作用により、ポンプ作動部の第１の空間域に容器本体の内容物を一旦取込み、続いてこの取り込んだ内容物を内容物放出部の第２の空間域に送出している。
【００５５】
したがって、内容物送出用操作部材の一回毎の操作によって第２の空間域に収容される内容物の量は第１の空間域に対応した量となり略一定なので、容器本体の内容物の残留量の多少とは無関係に内容物送出用操作部材の操作回数に応じた略一定量の内容物が第２の空間域に収容され、これを放出させることができる。
【００５６】
また、第２の空間域に収容された内容物自体は、ピストン部材によって放出口側への付勢力を受けるので、確実に外部空間に放出することができる。
【００５７】
さらに、第２の空間域に定量室形成用部材を設けているので、内容物放出用操作部材の一回の操作により定量室に収容された一定量の内容物を安定的に放出することができる。
【図面の簡単な説明】
【図１】本発明の、内容物放出機構の静止モードを示す説明図である。
【図２】本発明の、内容物放出機構の作動モードの説明図であり、内容物送出状態を示している。
【図３】本発明の、内容物放出機構の作動モードの説明図であり、内容物放出状態を示している。
【図４】従来の、内容物放出機構の説明図である。
【符号の説明】
１：内容物放出機構
２：容器本体
２ａ：内容物充填用の栓
２ｂ：充填口
２ｃ：内容物域
２ｄ：空間域
１０：ポンプ作動部
１０ａ：ポンプ作動用空間部
１１：筒状部材
１１ａ：孔部
１１ｂ：横孔
１２：ジョイント
１２ａ：隙間
１２ｂ：スリット
１２ｃ：ボール弁１５の受け部
１２ｄ：ボール弁１６の受け部
１３：内容物送出用釦
１３ａ：垂下部
１３ｂ：凹み部
１４：弁部材
１４ａ：上端部
１４ｂ：下端部
１５：内容物取込み用のボール弁
１６：内容物送出用のボール弁
１７：スプリング
１８：吸上管
２０：内容物放出部
２１：筒状部材
２１ａ：貯留空間部
２１ｂ：下方空間部
２１ｃ：孔部
２２：ピストン部材
２３：スプリング
２４：スプリング２３の受け部
２４ａ：連通孔
２５：ハウジング
２５ａ：スリット
２５ｂ：定量室
２５ｃ：隙間
２６：定量室形成部材
２６ａ：孔部
２７：ステム
２７ａ：孔部
２７ｂ：縦通路
２８：スプリング
２９：ステムラバー
３０：保持部材
３１：内容物放出用釦
３１ａ：放出路
３１ｂ：放出口
３１ｃ：押圧部
【図１】
2004122005.tif 000003
【図２】
2004122005.tif 000004
【図３】
2004122005.tif 000005
【図４】
2004122005.tif 000006